(57)【要約】      （修正有）【課題】入力ペン等で描画できる領域と、機能選択ボタンなどが配置される連続的な描画が不可な領域を有する電子黒板装置において、連続的な描画が不可な領域でも入力ペン等で連続的に描画できるようにする。【解決手段】入力ペンの座標位置を検出する位置検出手段１１を含む表示装置と、位置検出手段１１により検出された座標データと、領域境界上の座標データを比較し、座標データ間の距離を算出する座標比較手段２１と、座標比較手段２１の結果に基づいて領域機能の切り替えを判断する切替え手段２２を含む制御装置２０とを備える電子黒板１であって、入力ペンの座標と領域境界上座標を比較し、座標間データの距離に基づいて、領域機能の切り替えを行う。【選択図】図２
2017010086.tif 000002
【特許請求の範囲】
【請求項１】
入力ペンにより操作可能な電子黒板であって、
前記入力ペンで描画が可能な描画領域と、前記入力ペンでの描画が不可能な描画不可領域と、前記描画領域と前記描画不可領域の境界線と、からなる表示面を有する表示装置と、所定の制御を行う制御装置と、を備え、
前記表示装置は、
前記入力ペンが前記表示面上で指し示す第１の位置座標を検出する位置検出手段を含み、
前記制御装置は、
前記位置検出手段により検出された前記第１の位置座標と、前記境界線と、を比較する座標比較手段と、
前記描画領域内で前記第１の位置座標が連続的に変化していることを前記位置検出手段が検出し、前記座標比較手段が前記第１の位置座標と、前記境界線と、を比較し、前記第１の位置座標と、前記境界線と、の距離がユーザ設定のしきい値以内であると判断した時、前記描画不可領域を描画可能にする切替え手段と、を含む、
ことを特徴とする電子黒板。
【請求項２】
前記位置検出手段は、前記第１の位置座標を一定の間隔で検出し、検出結果を前記座標比較手段に提供する、
ことを特徴とする請求項１に記載の電子黒板。
【請求項３】
前記第１の位置座標と前記境界線の距離は、前記第１の位置座標と前記境界線を結ぶ線が、最短となるように定めた線の長さである、
ことを特徴とする請求項１から２に記載の電子黒板。
【請求項４】
前記切替え手段は、前記座標比較手段が算出した前記第１の位置座標と前記境界線の距離が、ユーザ設定のしきい値以下であると判断した時、前記描画不可領域の機能を無効にする、
ことを特徴とする請求項１から３に記載の電子黒板。
【請求項５】
前記境界線は、前記表示面に可視的に表記されている、
ことを特徴とする請求項１から４に記載の電子黒板。
【請求項６】
電子黒板の表示面上で、入力ペンが指し示す第１の位置座標を検出するステップと、
前記第１の位置座標と、描画領域と描画不可領域の境界線と、を比較するステップと、
前記描画領域内で、前記第１の位置座標が連続的に変化していることを検出し、前記第１の位置座標と前記境界線を比較し、前記第１の位置座標と前記境界線の距離がユーザ設定のしきい値以内であると判断した時、前記描画不可領域を描画可能にするステップと、
を備える電子黒板のためのデータ処理方法。
【請求項７】
プロセッサを備えるコンピュータにデータ処理方法を実行させるためのプログラムであって、
前記プログラムは、前記プロセッサに、
電子黒板の表示面上で、入力ペンが指し示す第１の位置座標を検出するステップと、
前記第１の位置座標と、描画領域と描画不可領域の境界線と、を比較するステップと、
前記描画領域内で、前記第１の位置座標が連続的に変化していることを検出し、前記第１の位置座標と前記境界線を比較し、前記第１の位置座標と前記境界線の距離がユーザ設定のしきい値以内であると判断した時、前記描画不可領域を描画可能にするステップと、
を実行させるためのプログラム。
【発明の詳細な説明】
【技術分野】
【０００１】
本発明は、電子黒板、データ処理方法、およびプログラムに関する。
【背景技術】
【０００２】
電子黒板は、従来からカラーパレットや線種の選択メニューや各種情報表示を表示装置に表示する情報表示領域を有している。筆記者は情報表示領域にある選択メニューを選択し色および線種を選択できるようになっており、この選択メニューの中から好みのものを選択して描画できる技術が既に知られている。
【０００３】
特許文献１では、複数のユーザが同時に使用する場合においても、ユーザが直感的且つ容易に操作することができる電子黒板システムを提供する目的で、デジタイザの機能を変更し、ドキュメントの操作及び編集が可能となる構成が開示されている。
【０００４】
次に特許文献２では、学校等に置かれている黒板と同様の操作性を持ち、誰でも黒板と同様の取扱い方で利用できる電子黒板システムを提供する目的で、黒板への描画と同様にペンなどで描画した線や文字、図形などを所定のダイアログボックスから色付け、消去などの機能を選択できる構成が開示されている。
【発明の概要】
【発明が解決しようとする課題】
【０００５】
これまでの電子黒板は、ディスプレイ画面とディスプレイ画面と並べてデジタイザの機能を制御するハードウェアボタンなどを備えた構成のものが知られているが、ディスプレイ画面と並べてハードウェア装置などを備えるとコストがかかってしまうという課題があった。
【０００６】
上記課題を解決するために、近年では、ディスプレイ画面の表示面に従来のハードウェアボタンと同等の機能を実現できる複数のアイコンを表示するものがある。しかし、描画領域と複数のアイコンを表示する領域は機能が完全に分かれており、ユーザが電子黒板に描画する際は、定められた描画領域内でしか描画できないという問題があり、例えばユーザが電子黒板に描画する量が想定よりも多くなってしまった際などは、スペースを空けるために、一旦描画したものを削除しなければならないなどの課題がある。
【０００７】
従来技術では、電子黒板の描画可能領域と描画不可領域の機能は完全に分けられており、上記の課題は解決されていない。
【０００８】
本発明は、上記課題を鑑みてなされたものであり、その目的とするところは、入力ペン等で描画できる領域と、機能ボタンなどが配置される描画が不可な領域を有する電子黒板装置において、描画不可な領域でも入力ペン等で連続的に描画できるようにすることである。
【課題を解決するための手段】
【０００９】
係る目的を達成するために、本発明は、以下の特徴を有することとする。
【００１０】
本発明に係る電子黒板は、入力ペンにより操作可能な電子黒板であって、入力ペンで描画が可能な描画領域と、入力ペンでの描画が不可能な描画不可領域と、描画領域と、描画不可領域の境界線と、からなる表示面を有する表示装置と、所定の制御を行う制御装置と、を備え、表示装置は、入力ペンが表示面上で指し示す第１の位置座標を検出する位置検出手段を含み、制御装置は、位置検出手段により検出された第１の位置座標と、境界線と、を比較する座標比較手段と、描画領域内で第１の位置座標が連続的に変化していることを位置検出手段が検出し、座標比較手段が第１の位置座標と、境界線と、を比較し、第１の位置座標と、境界線と、の距離がユーザ設定のしきい値以内であると判断した時、描画不可領域を描画可能にする切替え手段と、を含む、ことを特徴とする。
【発明の効果】
【００１１】
本発明によれば、入力ペンなどで描画領域に文字や線を描画する際、機能ボタン領域などの描画不可領域にも線や文字を描画することができるようになる。
【図面の簡単な説明】
【００１２】
【図１】本発明の実施の形態に係る電子黒板の外観を示す図である。
【図２】図１の電子黒板の機能構成ブロックを示す図である。
【図３】図１の電子黒板のハードウェア構成を示す図である。
【図４】本実施形態の表示領域機能切替え方法の手順を示すフローチャートである。
【図５】図１の電子黒板の表示面における座標例を示す図である。
【図６】本発明の実施におけるユーザ操作を示す図である。
【発明を実施するための形態】
【００１３】
以下、本発明を適用した電子黒板の実施形態について説明する。
【００１４】
まず、本実施形態における電子黒板の基本的な機能構成について説明する。図１は、本実施形態における電子黒板の外観を示す。
【００１５】
電子黒板は、表示面を有する従来のＰＣやテレビ等で使用されている液晶ディスプレイ型のタッチ操作機能を有する表示装置、及び入力装置としての入力ペンから構成され、主にオフィスや教育の場で用いられる。
【００１６】
表示面は、入力ペンによる連続的な描画が可能な描画領域５と、入力ペンによる連続的な描画が不可能な描画不可領域（１〜４）、および描画領域５と描画不可領域（１〜４）の境界線を有する。尚、描画不可領域（１〜４）には、例えば、入力ペンの線種や線色を変更するための機能ボタンを複数配置した機能ボタン領域や、日付などの情報を表示する情報表示領域などがある。尚、ここでの境界線は、ユーザ側は目視で認識することはできないが、境界線が表示面上で可視的に認識できるような表示でも構わない。
【００１７】
図２は、図１の電子黒板の機能構成ブロックを示す図である。
【００１８】
図２において、本発明の電子黒板１の検出装置１０は位置検出手段１１から構成されており、制御装置２０は、座標比較手段２１と、切替え手段２２から構成されている。
【００１９】
位置検出手段１１は、入力ペンが表示面上で指し示す位置座標を検出する。
【００２０】
座標比較手段２１は、位置検出手段１１により検出された位置座標と、描画領域と描画不可領域の境界線と、を比較し、位置検出手段１１により検出された位置座標と描画領域と描画不可領域の境界線を比較し、距離を算出する。
【００２１】
切替え手段２２は、座標比較手段２１により算出された距離と、ユーザ設定によるしきい値の比較結果を受け、描画不可から描画可能へと機能の切り替えが必要かどうかを判定し、切り替えが必要であれば、描画不可から描画可能へと機能を切り替える。
【００２２】
図３は、図１の電子黒板のハードウェア構成図の一例である。以後、本発明の実施形態を図３のハードウェア構成図を交えて説明する。尚、本実施形態の電子黒板のハードウェア構成は、図３のハードウェア構成図に限定されない。
【００２３】
制御装置２０は、所定のプログラムを実行することにより、電子黒板１の全体の制御を実現するためのＣＰＵ３０２と、電子黒板１の電源が投入されたときにＣＰＵ３０２が読出すプログラムを記憶する読出専用メモリ（Ｒｅａｄ  Ｏｎｌｙ  Ｍｅｍｏｒｙ（ＲＯＭ））３０５と、ＣＰＵ３０２が作業用メモリとして使用するランダム・アクセス・メモリ（Ｒａｎｄｏｍ  Ａｃｃｅｓｓ  Ｍｅｍｏｒｙ（ＲＡＭ））３０３と、電子黒板１の電源が切断されたときに記録を保持することが可能なＨＤＤ３０６と、タッチパネルディスプレイ１００（後述する検知装置１０）から得た情報（座標データ）をもとに、処理内容を決定するコントローラチップ３０１と、ＣＰＵ３０２の制御にしたがってタッチパネルディスプレイ１００による画像の表示を制御する表グラフィックチップ３０７と、これらを互いに接続し、相互間のデータ及び制御信号の通信を可能にするバス３０４とを含む。
【００２４】
検知装置１０は、検知部２０１と、検知部２０１を制御するマイクロコンピュータ２０２とを含む。マイクロコンピュータ２０２は、検知部２０１で検出した情報（座標データ）を外部（コントローラチップ３０１）に出力する。検知部２０１は、入力ペンの位置を検出する。すなわち、入力ペンの先端がタッチパネルディスプレイ１００に接触しているか否かを検出する。並びに、入力ペンによるタッチパネルディスプレイ１００への入力を一定間隔で検出する機能を有する。
ユーザが入力ペンを用いて描画領域に文字やイラストを描画する際の入力ペンの座標検出方式は、従来から実現されている電磁誘導式、光学式、デジタル感圧式、レーザー検出式、または超音波式などの従来の検出方式を用いている。
【００２５】
例えば入力ペンが指し示す位置に対して行われる処理内容の変更を行う場合は、図１の表示面の右、および下の機能ボタン領域から目的の機能変更をするための機能ボタンを押下することにより、入力ペンの機能を変更することができる。
【００２６】
例えばユーザが入力ペンの機能をペンツールから消去ツールに変更する場合、ユーザは消去アイコンが図示された機能ボタンを押下する。表示装置は、以降の入力ペンの操作は、消去ツールの操作として処理する。
【００２７】
表示装置４００は、フルカラー表示が可能な液晶表示パネル、またはプラズマディスプレイ、有機ＥＬディスプレイなどの表示パネルを有する表示部４０１を備え、表示部４０１は、グラフィックチップ３０７から受信し、所定のタイミングで読み出された画像データ等を表示させるための信号に基づいて表示を行う。
【００２８】
電子黒板１の各機能ブロックは、ＨＤＤ３０６、またはＲＯＭ３０５から読み出されてＲＡＭ３０３にロードされた所定のプログラムをＣＰＵ３０２が実行することにより構成可能である。また、本発明を実施するための専用チップなどで構成してもよい。
【００２９】
図４は、本実施形態の表示領域機能切替え方法の手順を示すフローチャートである。また、図５は、表示面における座標例を示す図である。
以降の説明を図４のフローチャートに従って行い、必要に応じて図５を参照する。
【００３０】
本発明の実施例として、入力ペンを用いて描画領域内を連続的に描画している場合を説明する。
位置検出手段が、ステップ１で、入力ペンが電子黒板のタッチパネスディスプレイで指し示す位置を検出する。尚、位置の検出は図示していない検知部のタイマーにより一定の間隔で行われるよう制御されている。図５の座標例に沿うと、（１７２０，５００）という座標が検出されることになる。
【００３１】
座標比較手段が、ステップ２で、境界線座標のデータを読み出す。図５の座標例に沿うと、境界線座標のデータは、（１８２０，１００）から（１９２０，１０８０）までの機能選択領域の内、Ｘ＝１８２０の位置である（１８２０，１００）から（１８２０，１０８０）までを境界線の座標データとして読み出す。
【００３２】
ステップ３で、ステップ１で検出した座標と、ステップ２で読み出された座標データを比較し、距離の算出を行う。ステップ２で読み出された座標データは、Ｘ＝１８２０の位置である（１８２０，１００）から（１８２０，１０８０）までであるが、ステップ１で検出された座標（１７２０，５００）から最短となるよう位置座標を定めるため、（１８２０，５００）を距離算出に用いる座標とする。
【００３３】
つまり、（１７２０，５００）と（１８２０，５００）の距離を求める。Ｘ方向とＹ方向の内、差分が発生するのはＸ方向のみで、その差分は１００ドットと算出されることになる。
【００３４】
切替え手段が、ステップ４で、ステップ３で算出された１００ドットという距離に対して、ユーザ設定のしきい値を読み出し、描画不可から描画可能へと機能の切り替えが必要かどうかを判定する。
ここで、本実施形態ではユーザ設定のしきい値は「１００ドット以内」と定めることにする。つまり、距離が１００ドット以内であれば、描画不可から描画可能へと機能の切り替えが必要と判断し、距離が１００ドットより大きければ、描画不可から描画可能への機能の切り替えが必要と判断せず、描画不可から描画可能への機能の切り替えは行われず終了する。
【００３５】
算出された距離が１００ドットであったため、ユーザ設定のしきい値の「１００ドット以内」を満たしており、描画不可から描画可能への機能の切り替えが必要と判断する。
ステップ５で、図５の座標範囲（１８２０，１００）から（１９２０，１０８０）までの描画不可領域の機能を無効化する。例えば、アイコン表示の機能ボタンであれば、アイコンの機能を無効にさせるなどである。
【００３６】
ステップ６で、ステップ５の結果を受け、図５の座標範囲（１８２０，１００）から（１９２０，１０８０）までの描画不可領域において、入力ペンでの連続的な描画を可能とさせる。
ここまでを切替え手段が行う。
図６は、描画不可から描画可能への機能の切り替え後のユーザ操作を示す図である。一連の手順を経て、入力ペンによる描画不可領域への連続的な描画が行うことが可能となる。
【００３７】
本発明の実施により、描画不可領域でも、描画領域と同様な連続的な描画を行うことが可能となる。
本実施形態のフローは、描画不可領域が（１８２０，１００）から（１９２０，１０８０）までと限定的であるが、描画不可領域が更に広範囲域に跨る際には、その広範囲域に跨る描画不可領域を、描画可能へと機能を切り替えることも可能である。また、図４では、描画不可領域の範囲が機能ボタン領域のみにかかるものであるが、機能ボタン領域のみに限定されることなく、例えば、情報表示領域なども描画領域へと機能を切り替えることも可能である。
【００３８】
また、描画不可領域を描画可能へと機能を切り替える際に、全ての描画不可領域を描画可能へと機能を切り替えるのではなく、例えば、描画領域を連続的に描画している描画方向に係る描画不可領域のみを描画可能へと機能を切り替えるように制御することも可能である。電子黒板を操作するユーザが複数人いる場合などに、一方のユーザが連続的に描画領域を描画し、他のユーザが描画方向と反対側の機能ボタン領域などを操作する、などといった使用形態も可能になる。
【符号の説明】
【００３９】
１    情報表示領域
２    機能ボタン領域
３    機能ボタン領域
４    機能ボタン領域
５    描画領域
１１    位置検出手段
２１    座標比較手段
２２    切替え手段
【先行技術文献】
【特許文献】
【００４０】
【特許文献１】特開２００８−１１８３０１号公報
【特許文献２】特開２００２−２７８７０３号公報
【図１】
2017010086.tif 000003
【図２】
2017010086.tif 000004
【図３】
2017010086.tif 000005
【図４】
2017010086.tif 000006
【図５】
2017010086.tif 000007
【図６】
2017010086.tif 000008